(57)【要約】【課題】  入賞口の直上にある一対の調整釘４１ａ，４１ｂに対して不正な操作が行われたこと検出することによって、不正行為が行われたときを直ちに検出するパチンコ機の不正検出装置を提供する。【解決手段】  一対の調整釘４１ａ，４１ｂの間を結合して、その位置を固定する拘束部材８３を取付け、その拘束部材８３に金属抵抗歪ゲージ７２を貼り付ける。拘束部材８３への歪ゲージ７２の取付けは、２本の調整釘４１ａ，４１ｂの間にわたり、金属抵抗歪ゲージ７２の検出方向（ｘ方向）が一対の調整釘４１ａ，４１ｂの各中心軸線の両方に垂直な方向に一致するように行われる。したがって、不正行為が行われて少なくとも一方の調整釘の傾きが変化すると、各調整釘４１ａ，４１ｂ間の間隔が変化するので、その間隔の変化を歪ゲージ７２によって検出することができる。【選択図】      図７
2008125766.tif 000002
【特許請求の範囲】
【請求項１】
遊技盤と、前記遊技盤に設けられた入賞口と、前記入賞口の直上に設けられる入賞率を調整するための２本の調整釘とを有するパチンコ機において、
前記２本の調整釘の間にわたって設けられ、各調整釘の相対的な変位を拘束する拘束部材と、
前記拘束部材に取付けられ、前記拘束部材の歪を検出するための歪検出素子と、
前記歪検出素子からの出力に基づいて、この出力が予め定める判定基準を満たしたとき、報知のための信号を出力する判定手段とを含むことを特徴とするパチンコ機。
【請求項２】
前記拘束部材と前記各調整釘との間には、隙間が設けられることを特徴とする請求項１記載のパチンコ機。
【請求項３】
前記拘束部材は、各調整釘間の少なくとも一部に伸縮可能領域を有し、
前記歪検出素子は、前記伸縮可能領域を含む領域に取付けられることを特徴とする請求項１または２記載のパチンコ機。
【請求項４】
前記予め定める判定基準は、前記歪検出素子からの出力に基づく歪の大きさが、予め定める基準値以上となりかつ予め定める判定時間を継続したときに満たされることを特徴とする請求項１〜３のいずれか１つに記載のパチンコ機。
【請求項５】
前記判定手段は、前記予め定める基準値が可変であることを特徴とする請求項４記載のパチンコ機。
【発明の詳細な説明】
【技術分野】
【０００１】
本発明は、不正行為を検出する不正検出手段を備えたパチンコ機に関する。
【背景技術】
【０００２】
古くから行われているパチンコ機への不正行為の１つとして、ピアノ線などの針金部材またはアクリル板などの合成樹脂の薄板をパチンコ台の枠の隙間から挿入し、入賞口の直上にある２本の入賞率調整用の調整釘に引掛けることによって、その釘の傾きを変えて遊技球を入賞口に入り易くする行為がある。
【０００３】
そこで、２本の調整釘の傾きを変更不能にするために、調整釘に規制手段を設ける方法が考えられる（たとえば特許文献１参照）。特許文献１記載の従来技術では、パチンコ店側による調整釘の調整を制限することを主目的に、調整釘の頭部に係合する係合部が設けられている。具体的には、係合部に一対の円形の凹部が形成され、この一対の凹部と２本の調整釘の頭部とを係合させる。また係合部に長円形の凹部が形成された場合には、調整釘はその範囲で調整可能になる。
【０００４】
【特許文献１】特開平１１−２９９９７７号公報
【発明の開示】
【発明が解決しようとする課題】
【０００５】
しかしながら、特許文献１に記載される係合部を２本の調整釘の間にわたって設けたとしても、不正行為者によってその係合部が破壊されれば釘調整は可能である。この場合、破壊された痕跡が係合部に残るものの、その痕跡が発見されるまで不正行為を続けることができるので、不正行為を防止する方法としては不完全である。
【０００６】
したがって本発明の目的は、入賞口の直上にある２本の調整釘に対して不正な操作が行われたこと検出することによって、不正行為が行われたときを直ちに検出する不正検出手段を備えたパチンコ機を提供することである。
【課題を解決するための手段】
【０００７】
本発明は、遊技盤と、前記遊技盤に設けられた入賞口と、前記入賞口の直上に設けられる入賞率を調整するための２本の調整釘とを有するパチンコ機において、
前記２本の調整釘の間にわたって設けられ、各調整釘の相対的な変位を拘束する拘束部材と、
前記拘束部材に取付けられ、前記拘束部材の歪を検出するための歪検出素子と、
前記歪検出素子からの出力に基づいて、この出力が予め定める判定基準を満たしたとき、報知のための信号を出力する判定手段とを含むことを特徴とするパチンコ機である。
【０００８】
また本発明は、前記拘束部材と前記各調整釘との間には、隙間が設けられることを特徴とする。
【０００９】
また本発明は、前記拘束部材は、各調整釘間の少なくとも一部に伸縮可能領域を有し、
前記歪検出素子は、前記伸縮可能領域を含む領域に取付けられることを特徴とする。
【００１０】
また本発明は、前記予め定める判定基準は、前記歪検出素子からの出力に基づく歪の大きさが、予め定める基準値以上となりかつ予め定める判定時間を継続したときに満たされることを特徴とする。
【００１１】
また本発明は、前記判定手段は、前記予め定める基準値が可変であることを特徴とする。
【発明の効果】
【００１２】
本発明によれば、各調整釘の相対的な変位を拘束する拘束部材に設けられた歪検出素子によって、各調整釘間の間隔の変化が検出される。したがって、各調整釘に対して不正行為が行われたときを判定して報知することが可能になる。
【００１３】
また本発明によれば、前記拘束部材と各調整釘との間には、隙間が設けられているので、その隙間の範囲内でパチンコ店によって入賞率を調整するための釘調整が可能である。隙間によって許容される範囲を超えて調整釘の傾きが変えられたときが歪検出素子によって検出可能であるので、不正な操作を判定することができる。
【００１４】
また本発明によれば、前記拘束部材は少なくとも一部に伸縮可能領域を有しているので、パチンコ店によって調整釘の調整が可能である。ここで、歪検出素子は前記伸縮可能領域を含むように取付けられるので、パチンコ店側が調整釘の調整を行うと歪検出素子からの出力の初期値が変化する。調整釘に対して不正な操作が行われた場合には、初期値からさらに出力が変化することになるので、その出力の変化を判定することによって不正行為が行われたことを判定することができる。
【００１５】
また本発明によれば、不正行為の有無の判定基準は、歪検出素子からの出力に基づく歪の大きさが予め定める基準値以上となりかつ予め定める判定時間を継続したときに満たされるので、遊技球が調整釘に衝突することによって生じる短時間の出力変化は除かれ、意図的に調整釘の傾きを変えて各調整釘間を広げる不正行為のみを確実に判定することができる。したがって、誤検出することなしに、調整釘に対して不正行為が行われたときを直ちに検出して報知信号を出力するパチンコ機を提供することができる。
【００１６】
また本発明によれば、不正が行われたか否かを判定する基準値が可変であるので、歪検出素子からの出力に基づく歪の大きさの初期値に応じてその基準値を変更することによって、不正行為による２本の調整釘の間の間隔の変化分のみを確実に検出することができる。
【発明を実施するための最良の形態】
【００１７】
先ず、本発明が適用されるパチンコ機１の構成および機能について概略を説明する。
図１は、本発明に係るパチンコ機１の全体構成の一例を示す正面側斜視図である。また図２は、本発明に係るパチンコ機１の遊技盤２０の構成の一例を示す正面図である。
【００１８】
図１においてパチンコ機１は島設備に固定するための木製の矩形状の外枠２を備え、この外枠２に対して合成樹脂製の内枠３が、左側部の上下に設けられる一対のヒンジ部３ａ，３ｂを介して開閉自在に取付けられている。さらに内枠３のほぼ上半分に対して合成樹脂製の前扉４が、左側部の上下に設けられる一対のヒンジ部４ａ，４ｂを介して開閉自在に取付けられている。この前扉４には後述する遊技盤２０の遊技領域２１が目視できるようにガラス窓部６が設けられている。また、パチンコ機１の右側部には、前扉４を内枠３に係止するとともに内枠３を外枠２に係止するための施錠装置（図示省略）が設けられる。この施錠装置用の鍵挿入部５が前扉４の右側部に設けられる。以下では前扉４側を外枠２側に対して前側または正面側、逆に外枠２側を前扉４側に対して後側または裏面側という。
【００１９】
図１において前扉４の下方には、遊技球が入賞したときに払い出される賞球を受ける上皿７が配設されており、さらに上皿７の下方には下皿８が配設されている。下皿８は、上皿７が賞球で一杯になったときに賞球の払い出しを受けるために用いられる。また上皿７の右下側には、操作ハンドル９が設けられ、発射装置（図示省略）での遊技球の発射勢が調整できるようになっている。発射装置は上皿７に連通しており、上皿７から発射装置に遊技球が供給される。さらに前扉４の右上、左上、右下、および左下の各四隅には、効果音などを鳴らすためのスピーカ１０と、エラー表示などを表示するための電飾ランプ１１が配設されている。またパチンコ機１の裏面側には、パチンコ機１を制御するためのマイクロプロセッサおよびＲＡＭ（Random Access Memory）などの制御用回路が設けられた制御基板（図示省略）が配設されている。
【００２０】
次に、図２を参照して、パチンコ機１を構成する遊技盤２０の構成と機能について詳しく説明する。
【００２１】
図２に示す遊技盤２０は、木製の板状の遊技基板８０と、その正面側に貼られた意匠図が描かれた軟質の合成樹脂製のセルシート８１と、遊技基板８０の正面側に配設された複数の入賞口４０，４８，５０，５３，５６，５９などの構造物と、複数の釘２２と、これら各構造物および複数の釘２２を取り囲むように立設される環状のレール２３とを含む。遊技盤２０は、前記遊技基板８０の基板面が略鉛直に起立するように前記内枠３に着脱自在に取付けられる。ここで遊技領域２１は、環状のレール２３によって取り囲まれる領域をいう。発射装置（図示省略）から発射された遊技球は、レール２３によって構成される案内路２４に沿って、遊技領域２１内に打ち込まれ、遊技領域２１内の複数の釘２２と衝突を繰り返しながら遊技領域２１内を落下する。
【００２２】
遊技領域２１のほぼ中央に設けられる図柄表示装置３０は、液晶ディスプレイ（ＬＣＤ：Liquid Crystal Display）３１と装飾部材３２とを含んで構成される。液晶ディスプレイ３１は、変動図柄を表示する第１表示領域３３、第２表示領域３４、および第３表示領域３５を備える。また、液晶ディスプレイ３１の上方の装飾部材３２には、４個の保留ランプ３６が設けられている。これらの各表示領域３３〜３５による変動図柄の表示、および保留ランプ３６の点灯は、後述するように始動入賞口４０への入賞と関係する。
【００２３】
図２において遊技球が入賞する入賞口には、始動入賞口４０、大入賞口４８、および一般入賞口５０，５３，５６，５９の３種類がある。始動入賞口４０および各一般入賞口５０，５３，５６，５９の前側には上方が開口した玉受け部４３，５２，５５，５８，６１が装着されており、また各入賞口４０，４８，５０，５３，５６，５９内には遊技球の入賞を検出する入賞口スイッチ（図示省略）が設けられている。さらに始動入賞口４０の玉受け部４３の開口の左右には一対の開閉羽根部材４２ａ，４２ｂが設けられており、この開閉羽根部材４２ａ，４２ｂは始動入賞口４０に遊技球が入り易くなる開放位置と、遊技球が入りにくくなる閉塞位置とをとる。開閉羽根部材４２ａ，４２ｂの開閉動作は、ソレノイド（図示省略）の駆動による。
【００２４】
始動入賞口４０は、図柄表示装置３０の直下に配設され、始動入賞口４０の入賞口スイッチ（図示省略）によって遊技球の入賞が検出されると、制御基板に設けられたマイクロプロセッサによる抽選が行われる。この抽選とともに前記液晶ディスプレイ３１において各表示領域３３〜３５の図柄が所定の時間変動して停止するような演出がなされる。たとえば演出される図柄の一例として０〜９の数字が表示される場合には、数秒の所定時間のあいだ０〜９の数字が変動した後、０〜９のいずれか１つの数字で停止するように表示される。
【００２５】
ここで、各表示領域３３〜３５の図柄の変動中に遊技球が始動入賞口４０に入賞したときには、図柄の変動が停止するまでマイクロプロセッサによる抽選は保留される。図柄変動中の入賞個数は、最大４個まで制御基板に設けられるＲＡＭの記憶領域に記憶され、また保留された入賞個数を表示するために保留中の入賞個数に等しい数の保留ランプ３６が点灯される。
【００２６】
大入賞口４８は、始動入賞口４０の下方に設けられており、下側が軸支された横長矩形状の開閉扉４９で前面部が覆われている。また、開閉扉４９の開閉動作を行うためのソレノイド（図示省略）が取付けられている。開閉扉４９は、通常は閉扉しており、前述した始動入賞口４０に遊技球が入賞したときに行われる抽選で当選したときに、ソレノイドの駆動によって開扉して上方が開口し、遊技球を受けることができる。さらに当選時には図柄表示装置３０において、各表示領域３３〜３５の図柄が変動した後、所定の表示態様で停止するような演出がなされる。たとえば、図柄の一例として０〜９の数字が表示される場合には、「７７７」のように数字がそろって停止するように表示される。
【００２７】
一般入賞口５０，５３，５６，５９は、始動入賞口４０の左右に各２個ずつ設けられている。これら一般入賞口５０，５３，５６，５９および始動入賞口４０への遊技球の入賞率を調整するために、これらの入賞口４０，５０，５３，５６，５９の直上に左右一対の調整釘４１ａ，４１ｂ，５１ａ，５１ｂ，５４ａ，５４ｂ，５７ａ，５７ｂ，６０ａ，６０ｂがそれぞれ設けられている。左右一対の調整釘間の間隔は所定の入賞確率になるようにパチンコ機メーカによって設定される。またパチンコ店によっても釘の調整がなされる場合がある。
【００２８】
図２に示す遊技領域２１には、上述した図柄表示装置３０および各入賞口４０，４８，５０，５３，５６，５９以外の他の構造物として、図柄表示装置３０の左右に、遊技球が通過するゲート６２，６４と、遊技球が衝突すると回転する風車６６，６７とが配設され、さらに大入賞口４８の直下にレール２３に沿ってアウト口６８が配設されている。アウト口６８には、各入賞口４０，４８，５０，５３，５６，５９に入賞しなかった遊技球が回収される。ここで、各ゲート６２，６４には、ゲートを通過する遊技球を検出するゲートスイッチ（図示省略）が設けられており、遊技球の通過を検出すると制御基板に設けられたマイクロプロセッサによって抽選が行われる。この抽選に当選すると前記始動入賞口４０の前面に設けられた開閉羽根部材４２ａ，４２ｂが１秒程度の所定の時間のあいだ開放位置になり、遊技球が始動入賞口４０に入賞し易くなる。また各ゲート６２，６４の直上にもゲート通過率を調整するための左右一対の調整釘６３ａ，６３ｂ，６５ａ，６５ｂがそれぞれ設けられている。
【００２９】
各入賞口４０，４８，５０，５３，５６，５９に遊技球が入賞したときには、賞球が払い出される。賞球の払い出し数は、１個の遊技球の入賞に対して、たとえば一般入賞口５０，５３，５６，５９が５個、始動入賞口４０が３個、大入賞口４８が１４個のように、通常、大入賞口４８に入賞したときの賞球数が相当に多くなるように設定される。したがって、遊技者がより多くの賞球を獲得するためには、始動入賞口４０への入賞をできるだけ増やすことによって抽選回数を増やす必要があり、その結果抽選に当選すれば、当選時に開口される大入賞口４８への入賞によって多数の賞球の払い出しを受けることができる。
【００３０】
このように多数の賞球を獲得するためには始動入賞口４０へ入賞する遊技球の数を増やすことが効果的であるので、始動入賞口４０の直上にある２本の調整釘４１ａ，４１ｂの傾きを変えて入賞率を増加させる不正行為が古くから行われている。たとえば、ピアノ線などの針金部材またはアクリル板などの合成樹脂の薄板をパチンコ機１の前扉４と内枠３との間の隙間から挿入し、２本の調整釘４１ａ，４１ｂの少なくとも一方の頭部に引掛けて引っ張ることによって、その調整釘４１ａ，４１ｂの傾きを変えて２本の調整釘間の間隔を広げて遊技球を始動入賞口４０に入り易くする。このような不正行為を防止するために、本発明は、遊技者によって調整釘４１ａ，４１ｂの傾きを不正に操作されたときを検出する歪検出素子を用いるものである。以下では先ず、本発明で用いる歪検出素子の原理と構造について説明する。
【００３１】
図３は、本発明に係る歪検出素子の原理を説明するための説明図である。また図４は、本発明に係る歪検出素子の構成の一例を示す正面図である。
【００３２】
本発明に係る歪検出素子は、所定の検出方向への単位長さあたりの伸びまたは縮みを検出する素子をいう。具体的には、フィルム状の絶縁物に形成された金属薄膜を利用して金属抵抗の変化を測定する金属抵抗歪ゲージ、およびシリコンなどの半導体の抵抗を利用した半導体歪ゲージを例示することができる。
【００３３】
歪検出素子の原理について図３を用いて説明する。図３において長さＬの棒状の材料７０の両端に引張力Ｐが作用して、長さがΔＬだけ増加し、Ｌ＋ΔＬに変形したとする。このときの長さの増加分ΔＬと元の長さＬとの比の値εを歪という。この歪εの大きさは材料７０の抵抗を測定することによって検出することができる。具体的には、図３において、長さＬの材料７０の長さ方向に電流を流したときの抵抗をＲとし、引張力Ｐによって長さがＬ＋ΔＬに伸張したときの材料７０の抵抗がΔＲだけ増加して、Ｒ＋ΔＲに変化したとすると、発生した歪に対応した抵抗変化と歪との関係は次式（１）のように表される。式（１）において、Ｋはゲージ率と呼ばれる定数であり、材料７０によって決まる。
【００３４】
【数１】
2008125766.tif 000003
【００３５】
図４に示す歪検出素子は単軸の金属抵抗歪ゲージ７２であり、図４の左右方向に高い検出感度を有する。検出感度が高い図４の左右方向をｘ方向または検出方向といい、ｘ方向に垂直な図４の上下方向をｙ方向ということにする。金属抵抗歪ゲージ７２は歪を測定すべき箇所に接着剤を用いて貼り付けて使用される。
【００３６】
図４において、金属抵抗歪ゲージ７２は、薄い電機絶縁物のベース７３と、そのベース７３表面上に形成される、つづら折状に多数回折り返された線状の金属配線パターン７４とを備える。金属配線パターン７４は金属箔をエッチングして形成される。具体的には、金属配線パターン７４は、ｘ方向に延びる直線状パターンが互いに平行に複数本並んだ検出部７４ａと、検出部７４ａのｘ方向端部に設けられる折り返し部７４ｂとを含み、検出部７４ａのｘ方向の長さは、各直線状パターン間の間隔よりも長い。そして、検出部７４ａに形成される直線状パターンがｘ方向に伸縮することによって生じる抵抗の変化を検出することにより歪測定が行われる。さらに図４の金属抵抗歪ゲージ７２には、抵抗変化の検出用に、金属配線パターン７４の両端に形成された電極パッド７５と、各電極パッド７５に接続されている引出線７６とが設けられる。引出線７６は、図８において説明する歪検出回路９０に接続される。
【００３７】
次に、上述した金属抵抗歪ゲージ７２を用いた本発明の第１の実施の形態であるパチンコ機の不正検出装置について図５〜９を参照して具体的に説明する。
【００３８】
図５は、第１の実施の形態の不正検出装置を備えたパチンコ機１の遊技盤２０のうち、始動入賞口４０近傍領域を拡大して示す正面図であり、図６は、図５に示す始動入賞口４０近傍領域の右側面図であり、図７は、図５の切断面線ＶＩＩ−ＶＩＩから見た断面図である。図５〜７において、図２と共通する構成については同一の参照符号を付して説明を省略する場合がある。
【００３９】
図５，６に示すように、始動入賞口４０近傍には、始動入賞口４０に連なる開口を有する基盤４４が装着され、この基盤４４の表面上に前記玉受け部４３と前記一対の開閉羽根部材４２ａ，４２ｂとが設けられている。基盤４４は、セルシート８１の上から遊技基板８０に、螺子４５ａ，４５ｂによって固定されている。基盤４４の表面上にはさらに、玉受け部４３の直上の位置に遊技球が通過するゲート部４６が設置されている。前記一対の調整釘４１ａ，４１ｂの間を通過した遊技球は、ゲート部４６を通過することによって玉受け部４３の開口に導かれて始動入賞口４０に入る。
【００４０】
本実施の形態では、金属抵抗歪ゲージ７２は、左右一対の調整釘４１ａ，４１ｂの間を結合して各調整釘４１ａ，４１ｂの位置を固定する合成樹脂製の拘束部材８３に取付けられる。具体的には、遊技基板８０に凹部８２が形成され、合成樹脂製で板状の拘束部材８３がこの凹部８２に、拘束部材８３と凹部８２の底面８２ａとの間を離間させて埋め込まれる。始動入賞口４０直上に設けられる左右一対の調整釘４１ａ，４１ｂは、この拘束部材８３を貫通するようにして遊技基板８０に形成された凹部８２の底面８２ａに打設される。歪検出素子である金属抵抗歪ゲージ７２は、拘束部材８３の裏面側に接着剤によって取付けられている。また図５〜７では金属抵抗歪ゲージ７２への電気配線の図示を省略しているけれども、金属抵抗歪ゲージ７２が、遊技基板８０を貫通する電気配線によって、パチンコ機１の裏面側に設けられた制御基板内の後述する歪検出回路９０に接続される。
【００４１】
ここで、拘束部材８３への歪ゲージ７２の取付けは、２本の調整釘４１ａ，４１ｂの間であって、金属抵抗歪ゲージ７２の検出方向（図４，５，７のｘ方向）が一対の調整釘４１ａ，４１ｂの各中心軸線を通り各中心軸線に直交する方向にほぼ一致するように行われる。したがって、少なくとも一方の調整釘の傾きが変化すると、各調整釘４１ａ，４１ｂ間の間隔が変化するので、その間隔の変化を歪ゲージ７２によって検出することができる。
【００４２】
上記の方法で各調整釘４１ａ，４１ｂ間の間隔の変化を精度良く検出するためには、拘束部材８３は、なるべく各調整釘４１ａ，４１ｂの頭部寄りに取付けたほうがよい。不正行為によって各調整釘４１ａ，４１ｂの少なくとも一方の傾きが変化したときに生じる各調整釘４１ａ，４１ｂ間の間隔の変化は、各調整釘４１ａ，４１ｂの頭部寄りのほうが大きいからである。そこで、前述のように本実施の形態の拘束部材８３は、凹部８２の底面８２ａに対して離間させて取付けられている。
【００４３】
また、拘束部材８３は、その表面が遊技基板８０の表面に滑らかに接続するように、拘束部材８３が遊技基板８０の凹部８２に埋め込まれ、さらに、セルシート８１が拘束部材８３を覆うように遊技基板８０に貼られる。したがって、拘束部材８３の埋め込みが遊技球の挙動に影響を与えることはなく、さらに不正行為者に拘束部材８３および金属抵抗歪ゲージ７２の存在を気付かれることもない。また、拘束部材８３の材料には、ポリエチレンおよびポリプロピレンなど軟質の合成樹脂が好ましい。拘束部材８３は各調整釘４１ａ，４１ｂの位置を固定するものであるけれども、軟質の合成樹脂製の拘束部材８３はある程度の伸縮が可能であるので、パチンコ店によって各調整釘４１ａ，４１ｂの間の間隔を調整することが可能になるからである。
【００４４】
図８は、本実施の形態のパチンコ機の不正検出装置における歪検出回路９０の構成を示すブロック図である。
【００４５】
本実施の形態のパチンコ機の不正検出装置の歪検出回路９０は、前述した金属抵抗歪ゲージ７２、および第１〜第３抵抗体９１〜９３によって構成されるホイートストンブリッジと、ホイートストンブリッジへの入力電圧Ｖｃｃを印加するための直流電源９４と、ホイートストンブリッジからの出力電圧を増幅する差動増幅器９５と、入力電圧Ｖｃｃおよび増幅された出力電圧をデジタル変換するためのＡ／Ｄ変換器（アナログ／デジタル変換器）９６，９７と、デジタル化された入力電圧Ｖｃｃおよび出力電圧から歪εを計算するマイクロコンピュータ９８を含んで構成される。マイクロコンピュータ９８は、図示を省略したマイクロプロセッサ、ＲＡＭ（Random Access Memory）およびＲＯＭ（Read
Only Memory）などを備える。これらの歪検出回路９０の各構成要素は金属抵抗歪ゲージ７２を除いてパチンコ機１の裏面側に設けられた制御基板上に配置される。
【００４６】
ここで、歪ゲージ７２と各抵抗体９１〜９３によって構成されるホイートストンブリッジの接続関係について具体的に説明すると、先ず、第１抵抗体９１および第２抵抗体９２の各一端部に直流電源９４が接続されて正電圧Ｖｃｃが入力される。そして、第１抵抗体９１の他端部には、一端部が接地された金属抵抗歪ゲージ７２の他端部が接続され、第２抵抗体９２の他端部には、一端部が接地された第３抵抗体９３の他端部が接続される。このように接続すると、第１抵抗体９１および金属抵抗歪ゲージ７２間に電位Ｖａが生じ、第２抵抗体９２および第３抵抗体９３間に電位Ｖｂが生じる。そして差動増幅器９５には、ホイートストンブリッジからの出力電圧として電位差ΔＶ＝Ｖａ−Ｖｂが入力され、増幅された出力電圧ΔＶはマイクロコンピュータ９８に入力される。
【００４７】
次に、図８に示す歪検出回路９０を用いた歪εの測定方法について説明する。
第１〜第３抵抗体９１〜９３の各抵抗値、および歪εが生じていない状態での金属抵抗歪ゲージ７２の抵抗値をそれぞれＲ［Ω］とし、金属抵抗歪ゲージ７２に歪εが生じたときの抵抗の増分をΔＲ［Ω］とする。このとき前述した電位Ｖａ，Ｖｂの値、電位差ΔＶ＝Ｖａ−Ｖｂの値は次式で表される。
【００４８】
【数２】
2008125766.tif 000004
【００４９】
式（２）に式（１）を代入して、歪εについて解くと次式（３）が得られる。
【００５０】
【数３】
2008125766.tif 000005
【００５１】
式（３）から明らかなように、ホイートストンブリッジへの入力電圧Ｖｃｃと、ホイートストンブリッジからの出力電圧ΔＶと、金属抵抗歪ゲージ７２のゲージ率Ｋが与えられれば歪εを求めることができる。図８に示す歪検出回路９０では、マイクロコンピュータ９８に予めゲージ率Ｋを記憶させ、入力電圧Ｖｃｃと出力電圧ΔＶをデジタル変換してマイクロコンピュータ９８に入力することによって、マイクロコンピュータ９８が式（３）に従った計算を行って歪εが求まる。求められた歪εに基づいて、マイクロコンピュータ９８は、不正行為があったか否かを判定し、不正行為があったと判定した場合には報知のための信号を出力する判定手段として機能する。次に、マイクロコンピュータ９８による具体的な判定手順について説明する。
【００５２】
図９は、図８に示す歪検出回路９０のうちマイクロコンピュータ９８によって不正行為の有無を判定する手順を示すフローチャートである。図９に示す手順は、パチンコ機１に電源を投入することによってスタートする。以下の手順は、特に断らない場合には、マイクロコンピュータ９８のマイクロプロセッサによって実行される。
【００５３】
ステップｓ１ではＲＯＭの記憶領域から歪の基準値εｓおよび時間の基準値ｔｓが読み出され、ＲＡＭの基準値記憶領域に記憶されて、ステップｓ２に移る。
【００５４】
ステップｓ２では、初期状態における歪検出回路９０のホイートストンブリッジの入力電圧Ｖｃｃ１および増幅された出力電圧ΔＶ１がＡ／Ｄ変換器９６，９７によってデジタル変換された後、マイクロコンピュータに入力され、ＲＡＭの初期電圧記憶領域に記憶される。
【００５５】
次のステップｓ３では、ＲＡＭに記憶された初期入力電圧Ｖｃｃ１および初期出力電圧ΔＶ１から初期状態における歪の大きさε１が計算される。パチンコ店によって釘調整が行われた場合には、釘調整に応じた歪の大きさε１が初期状態として検出される。
【００５６】
次のステップｓ４では、マイクロプロセッサによって計測される時刻ｔが０にリセットされる。マイクロプロセッサは時刻ｔ＝０から時間の計測を開始する。
【００５７】
次のステップｓ５では、現在の状態における歪検出回路９０のホイートストンブリッジの入力電圧Ｖｃｃ２、およびホイートストンブリッジからの出力電圧ΔＶ２が、Ａ／Ｄ変換器９６，９７によってデジタル変換された後、マイクロプロコンピュータに入力され、ＲＡＭの電圧記憶領域に記憶される。そして続くステップｓ６で、ＲＡＭに記憶された入力電圧Ｖｃｃ２および出力電圧ΔＶ２から現在の状態における歪の大きさε２が計算される。
【００５８】
次のステップｓ７では、マイクロプロセッサは現在の歪の大きさε２と初期状態での歪の大きさε１との差ε２−ε１が予め定める歪の大きさの基準値εｓ以上であるかを判定する。歪の差が基準値εｓ以上のときにはステップｓ８に進み、基準値εｓ未満のときにはステップｓ４に戻って、時刻ｔが０にリセットされる。
【００５９】
ステップｓ８では、マイクロプロセッサは現在の時刻ｔが予め定める時間の基準値ｔｓ以上であるかを判定する。現在の時刻ｔが時間の基準値ｔｓ以上の場合、すなわち歪の大きさの変化ε２−ε１が予め定める基準値εｓ以上の状態が時間の基準値ｔｓのあいだ継続した場合には、ステップｓ９に進む。現在の時刻ｔが予め定める時間の基準値ｔｓに満たない場合にはステップｓ５に戻って、ホイートストンブリッジの入力電圧Ｖｃｃ２および出力電圧ΔＶ２を再度測定する。
【００６０】
ステップｓ９では、不正があったことを音および光などで報知したり、パチンコホールの管理用のコンピュータに出力したりするための信号を出力して、不正行為の有無を判定する手順が終了する。
【００６１】
このようにマイクロプロセッサによって、予め定める基準値εｓ以上の歪の大きさの変化ε２−ε１が予め定める時間ｔｓ以上のあいだ継続することが判定されるので、遊技球が調整釘に衝突することによって生じる短時間の変化は除かれ、意図的に調整釘４１ａ，４１ｂの傾きを変える不正行為のみを確実に判定することができる。したがって、本実施の形態のパチンコ機の不正検出装置によれば、誤検出を報知することによって遊技者に不快な思いをさせることが少ない。
【００６２】
上記手順において、長さの増加分を元の長さで割った値である歪の大きさを基準にして初期状態からの差を判定したけれども、歪によって比較をせずに長さの増加分をその長さの増加分の基準値と比較してもよい。すなわち、歪検出回路９０のホイートストンブリッジからの出力電圧に基づく各調整釘間の間隔の変化が、予め定める基準値を超えてかつ予め定める時間を継続したことを判定しても同様の効果が得られる。
【００６３】
次に、図１０〜図１４を用いて、調整釘に装着される拘束部材の態様が異なる第２〜第４の実施の形態について説明する。第２〜第４の実施の形態では、拘束部材の形状および配置以外については第１の実施の形態と同様であるので、対応する構成については同一の参照符号を付して説明を省略する場合がある。
【００６４】
図１０は、本発明の第２の実施の形態であるパチンコ機の不正検出装置に係る調整釘４１ａ，４１ｂ、拘束部材８４および歪検出素子７２の構成を示す断面図である。図１０において、拘束部材８４は、比較的伸縮性に乏しい第１領域８４ａと伸縮可能な第２領域８４ｂとを備え、第１領域８４ａは拘束部材８４のほぼ中央に位置する第２領域８４ｂによって分離される。たとえば、伸縮性に乏しい第１領域８４ａには、フェノール樹脂およびポリエステルなどの硬質合成樹脂または金属を用いることができ、伸縮可能な第２領域８４ｂには合成ゴムを利用することができる。拘束部材８４は第１領域８４ａおよび第２領域８４ｂを接着材または螺子などによって固定することによって形成される。そして、分離された一方の第１領域８４ａは一方の調整釘４１ａによって貫通され、他方の第１領域８４ａは他方の調整釘４１ｂによって貫通される。すなわち、伸縮可能な第２領域８４ｂは各調整釘４１ａ，４１ｂの間に配置されることになる。歪検出素子である金属抵抗歪ゲージ７２は、各調整釘４１ａ，４１ｂの間であって、第２領域８４ｂによって分離された一方の第１領域８４ａから他方の第１領域８４ａにわたり第２領域８４ｂを含むように、拘束部材８４に接着材を用いて取付けられる。金属抵抗歪ゲージ７２の歪検出方向であるｘ方向は、２本の調整釘４１ａ，４１ｂの軸線を通り両軸線に直交する方向にほぼ一致する。また図１０では図示が省略されているけれども、金属抵抗歪ゲージ７２は、遊技基板８０を貫通する電気配線によって、パチンコ機１の裏面側に設けられた制御基板内の歪検出回路９０と接続される。
【００６５】
このような構成の場合には、ピアノ線などを用いて少なくとも一方の調整釘４１ａ，４１ｂの傾きを変えるような不正行為が行われると、拘束部材８４の第２領域８４ｂが伸張する。そうすると、第２領域８４ｂを含むように取付けられた金属抵抗歪ゲージ７２の歪が増加するので、不正行為が行われたことを検知することができる。したがって、本実施の形態のパチンコ機の不正検出装置は、前述した第１の実施の形態のパチンコ機の不正検出装置と同様の作用効果を奏する。
【００６６】
図１１は、本発明の第３の実施の形態であるパチンコ機の不正検出装置に係る調整釘４１ａ，４１ｂ、拘束部材８５および歪検出素子７２の構成を示す断面図である。図１１において、合成樹脂製の拘束部材８５には、各調整釘４１ａ，４１ｂの外形より大きい内径を有する一対の貫通孔８６ａ，８６ｂが形成されている。各調整釘４１ａ，４１ｂはそれぞれ対応する貫通孔８６ａ，８６ｂを挿通して、遊技基板８０の凹部８２の底面８２ａに打設される。金属抵抗歪ゲージ７２は、各調整釘４１ａ，４１ｂの間にわたって、歪検出方向であるｘ方向が２本の調整釘４１ａ，４１ｂの軸線を通り両軸線に垂直な方向にほぼ一致するように、拘束部材８５に接着材を用いて取付けられる。また図１１では金属抵抗歪ゲージ７２への電気配線の図示が省略されているけれども、金属抵抗歪ゲージ７２は、遊技基板８０を貫通する電気配線によって、パチンコ機１の裏面側に設けられた制御基板内の歪検出回路９０と接続される。
【００６７】
このように各調整釘４１ａ，４１ｂの周りに隙間を有することになるので、その隙間の範囲内でパチンコ店によって入賞率を調整するための釘調整が可能である。隙間によって許容される範囲を超えて調整釘４１ａ，４１ｂの傾きが変えられたときが金属抵抗歪ゲージ７２によって検出されるので、不正な操作を判定することができる。したがって、本実施の形態のパチンコ機の不正検出装置は、前述した第１の実施の形態のパチンコ機の不正検出装置と同様の作用効果を奏する。
【００６８】
図１２は、本発明の第４の実施の形態である不正検出装置を備えるパチンコ機１の遊技盤２０のうち、始動入賞口４０近傍を拡大して示す正面図であり、図１３は、図１２に示す始動入賞口４０近傍領域の右側面図であり、図１４は、図１２の切断面線ＸＩＶ−ＸＩＶから見た断面図である。
【００６９】
第４の実施の形態では、図５，６に示す第１の実施の形態におけるゲート部４６の形状が変更されている。図１２〜１４に示すように、ゲート部は、基盤４４から立設する一対の側板１０１ａ，１０１ｂとその側板１０１ａ，１０１ｂの前面側を覆う前板１０２とを備え、前板１０２には調整釘４１ａ，４１ｂを覆うように上方に延びる延在部１０２ａが設けられている。そして、延在部１０２ａの裏面側には各調整釘４１ａ，４１ｂのそれぞれと係合する一対の凹部１０３ａ，１０３ｂが形成される。したがって、延在部１０２ａが一対の調整釘４１ａ，４１ｂの頭部の動きを制限する拘束部材１０２ａとして機能することになる。
【００７０】
このように本実施の形態では、不正行為によって各調整釘４１ａ，４１ｂが傾けられたときに、各調整釘４１ａ，４１ｂ間の間隔がより大きくなる各調整釘４１ａ，４１ｂの頭部の近傍に拘束部材１０２ａが設けられているので、前述の第１〜第３の実施の形態と比べて拘束部材１０２ａに生じる歪がより大きくなり、また遊技球の動きを妨げることがない。したがって、本実施の形態では、拘束部材１０２ａが不正行為者の目に触れることになるけれども、第１〜第３の実施の形態と比べてより精度良く確実に不正行為を検出することができる。
【００７１】
金属抵抗歪ゲージ７２は、各調整釘４１ａ，４１ｂの間であって、歪検出方向であるｘ方向が２本の調整釘４１ａ，４１ｂの軸線を通り両軸線に垂直な方向にほぼ一致するように、延在部１０２ａに接着材を用いて取付けられる。図１２では、金属抵抗歪ゲージ７２は延在部１０２ａの正面側に取付けられているけれども、裏面側に取付けてもよい。また図１２では金属抵抗歪ゲージ７２への電気配線の図示が省略されているけれども、金属抵抗歪ゲージ７２は、前板１０２、側板１０１ａ，１０１ｂのいずれか一方、基盤４４，セルシート８１、および遊技基板８０を貫通する電気配線によって、パチンコ機１の裏面側に設けられた制御基板内の歪検出回路９０と接続される。
【００７２】
ここで、凹部１０１ａ，１０１ｂの大きさは調整釘４１ａ，４１ｂの頭部の外径よりも大きく形成されているので、拘束部材１０２ａのうち各調整釘４１ａ，４１ｂの周りには隙間を有することになるので、その隙間の範囲内でパチンコ店によって入賞率を調整するための釘調整が可能である。隙間によって許容される範囲を超えて調整釘４１ａ，４１ｂの傾きが変えられたときが金属抵抗歪ゲージ７２によって検出されるので、不正な操作を判定することができる。したがって、本実施の形態のパチンコ機の不正検出装置は、前述した第１の実施の形態のパチンコ機の不正検出装置と同様の作用効果を奏する。なお、本実施の形態では、隙間によって許容される釘調整の範囲では拘束部材の歪は生じないので、図９に示すフローチャートのうち、ステップｓ２とステップｓ３を省略し、初期の歪の大きさε１を０として取り扱ってもよい。
【００７３】
上述の各実施の形態は、本発明の例示に過ぎず、本発明の範囲内において構成を変更することができる。たとえば一般入賞口５０，５３，５６，５９の直上の左右一対の調整釘４１ａ，４１ｂ,５１ａ，５１ｂ，５４ａ，５４ｂ，５７ａ，５７ｂ，６０ａ，６０ｂの間、および各ゲート６２，６４の直上の左右一対の調整釘６３ａ，６３ｂ，６５ａ，６５ｂにそれぞれ拘束部材と金属抵抗歪ゲージ７２を設けてもよい。この構成においても、遊技基板８０を貫通する電気配線（図示省略）によって、金属抵抗歪ゲージ７２とパチンコ機１の裏面側に設けられた制御基板内の歪検出回路９０とを接続し、金属抵抗歪ゲージ７２からの出力に基づいて拘束部材の歪を検出する。こうすると、一般入賞口５０，５３，５６，５９の直上に設けられる左右一対の調整釘４１ａ，４１ｂ，５１ａ，５１ｂ，５４ａ，５４ｂ，５７ａ，５７ｂ，６０ａ，６０ｂ、および各ゲート６２，６４の直上の左右一対の調整釘６３ａ，６３ｂ，６５ａ，６５ｂに対して、不正行為が行われたか否かを検出することができる。
【００７４】
また図８に示す歪検出回路９０では、簡単のために第１〜第３抵抗体９１〜９３の大きさを、歪のないときの金属抵抗歪ゲージ７２の抵抗値Ｒと同一にしたけれども、第１〜第３抵抗体９１〜９３の大きさをそれぞれＲ１、Ｒ２、Ｒ３として、金属抵抗歪ゲージ７２の抵抗値Ｒと異なる抵抗値にしてもよい。このような抵抗値の設定で、かつＲ１：Ｒ２＝Ｒ：Ｒ３の関係式を満たせば、金属抵抗歪ゲージ７２に歪がないときにはホイートストンブリッジの出力電圧ΔＶは０［Ｖ］になる。そして、金属抵抗歪ゲージ７２に歪εが生じて抵抗がΔＲ［Ω］だけ増加したときには、その抵抗の増分に応じた出力電圧ΔＶが得られるので、図８の場合と同様に歪の大きさを求めることができる。
【図面の簡単な説明】
【００７５】
【図１】本発明に係るパチンコ機１の全体構成の一例を示す正面側斜視図である。
【図２】本発明に係るパチンコ機１の遊技盤２０の構成の一例を示す正面図である。
【図３】本発明に係る歪検出素子の原理を説明するための説明図である。
【図４】本発明に係る歪検出素子の構成の一例を示す正面図である。
【図５】第１の実施の形態の不正検出装置を備えたパチンコ機１の遊技盤２０のうち、始動入賞口４０近傍領域を拡大して示す正面図である。
【図６】図５に示す始動入賞口４０近傍領域の右側面図である。
【図７】図５の切断面線ＶＩＩ−ＶＩＩから見た断面図である。
【図８】本実施の形態のパチンコ機の不正検出装置における歪検出回路９０の構成を示すブロック図である。
【図９】図８に示す歪検出回路９０のうちマイクロコンピュータ９８によって不正行為の有無を判定する手順を示すフローチャートである。
【図１０】本発明の第２の実施の形態であるパチンコ機の不正検出装置に係る調整釘４１ａ，４１ｂ、拘束部材８４および歪検出素子７２の構成を示す断面図である。
【図１１】本発明の第３の実施の形態であるパチンコ機の不正検出装置に係る調整釘４１ａ，４１ｂ、拘束部材８５および歪検出素子７２の構成を示す断面図である。
【図１２】本発明の第４の実施の形態である不正検出装置を備えるパチンコ機１の遊技盤２０のうち、始動入賞口４０近傍を拡大して示す正面図である。
【図１３】図１２に示す始動入賞口４０近傍領域の右側面図である。
【図１４】図１２の切断面線ＸＩＶ−ＸＩＶから見た断面図である。
【符号の説明】
【００７６】
１  パチンコ機、  ２  外枠、  ３  内枠、  ４  前扉、  ６  ガラス窓部、  ２０  遊技盤、  ２１  遊技領域、  ４０  始動入賞口、  ４１ａ，４１ｂ  調整釘、  ４８  大入賞口、  ５０  一般入賞口、  ４１ａ，４１ｂ,５１ａ，５１ｂ，５４ａ，５４ｂ，５７ａ，５７ｂ，６０ａ，６０ｂ  調整釘、  ７２  金属抵抗歪ゲージ、  ８３，８４，８５，１０２ａ  拘束部材、  ９０  歪検出回路
【図１】
2008125766.tif 000006
【図２】
2008125766.tif 000007
【図３】
2008125766.tif 000008
【図４】
2008125766.tif 000009
【図５】
2008125766.tif 000010
【図６】
2008125766.tif 000011
【図７】
2008125766.tif 000012
【図８】
2008125766.tif 000013
【図９】
2008125766.tif 000014
【図１０】
2008125766.tif 000015
【図１１】
2008125766.tif 000016
【図１２】
2008125766.tif 000017
【図１３】
2008125766.tif 000018
【図１４】
2008125766.tif 000019